(57)【要約】      （修正有）【課題】ナノバブル化された液体を安価かつ容易に発生させることのできるナノバブル発生体を提供する。【解決手段】ナノバブル発生体を構成する個々の扇形や菱形、六角形等からなる多数の突起物からなる羽根をプラスチックで射出成形し、これらの羽根同士を積層組み込み勘合用のシャフト９上で複数連接することによりナノバブル発生体を形成する。【選択図】図７
0003184786.tif 000002
【実用新案登録請求の範囲】
【請求項１】
羽根同士を連接させるためのシャフトを貫通させる孔と，羽根同士を連接させるための嵌合孔及び凸部を設け，かつ，外周部の表面には多数の突起物が設けられるようプラスチック成形された羽根Ａを，積層組み込み勘合用のシャフト上に一列に複数配置し，羽根Ａ同士を連接させてなることを特徴とするナノバブル発生体。
【請求項２】
羽根Ａの外周部の突起物を扇形，菱形または六角形にしたことを特徴とする請求項１記載のナノバブル発生体。
【請求項３】
羽根Ａの勘合穴６と勘合凸部７のボスの各中心部を一定角度ずらすように形成したことを特徴とする請求項１記載のナノバブル発生体。
【請求項４】
羽根Ａ同士の嵌合に際し，請求項１乃至請求項３記載の羽根Ａから羽根同士を連接させるための凸部を除去した羽根Ｂをプラスチック成型し，これを羽根Ａに嵌合させた上で，羽根Ｂの中央部を積層組み込み勘合用のシャフトに結合することによって，複数連接された羽根Ａと羽根Ｂを嵌合させてなることを特徴とする請求項１記載のナノバブル発生体。
【考案の詳細な説明】
【技術分野】本考案は，複数の羽根を連接してなるナノバブル発生体に関する。【０００１】
【背景技術】
【０００２】ケーシングの中に，扇形や菱形をはじめとしたチップを多数，螺旋状に配置してその間に液体を流すと，液体がチップの先端に衝突し，急激に流れる向きを変えられることにより流体の分子同士が激しく衝突し，また，流速が急激に増して強烈な旋回流が生じることにより，液体が有するクラスター状態が細分化される。
これによって液体が物体の狭い隙間にも容易に入り込めるようになる。【０００３】このよう現象は，ナノバブル現象と呼ばれることがあり，多方面にわたって応用することが可能である。例えば，ナノバブル発生装置を家庭用または業務用シャワーに用いることによって肌に保湿効果を生じさせたり汚れを落としやすくしたり，あるいは，工作機械の切削部分の冷却液やエンジンのラジエター内部の冷却液として用いることによって冷却効果を高めたり，  エンジンの燃料噴射部分に同発生体を設け，同発生体内部に液体燃料を通過させることによってエンジンの燃料効率を上昇させたりすることが可能である。【０００４】ナノバブル現象については，すでに多くの特許文献で開示されており（例えば，特開２００９−２４７９５０号公報），ナノバブル現象を発生させる構造についても，ケーシングの中に「フリップフロップ現象発生用軸体」を固定し，通過する液体に対して旋回流を生じさせる固定構造が既に知られている（特許文献１）。
しかし，「フリップフロップ現象発生用軸体」として知られる上記ナノバブル発生体の構造は複雑であり，これを実際に製造するとなると，工作機械を用いて，市販の金属棒やプラスチック棒を徐々に切削加工しながら所望の形状になるよう仕上げていくことが多く，加工に長時間を要するほか，加工費用も高価となりがちであり，実際，ナノバブル発生体を組み込んだ市販シャワーも高価であった。【０００５】そこで，ナノバブル現象を安価かつ容易に発生させることのできる新たなナノバブル発生体の構造が望まれていた。
【先行技術文献】
【特許文献】
【０００６】
【特許文献１】特開２００４−３３９６２
【考案の概要】
【考案が解決しようとする課題】
【０００７】ナノバブル化された液体を容易に安価に発生させるナノバブル発生装置の固定構造を提供する。
【課題を解決するための手段】本考案の考案者は，ナノバブル発生体につき，素材を切削加工するのではなく，ナノバブル発生体を構成する個々の羽根Ａを複数射出成形し，しかるのちにこれらの羽根Ａ同士を個別に連接してなる構造を用いると，所望の外，迅速かつ容易にナノバブル発生体を製造できることを発見し，課題解決手段として採用した。【０００８】具体的には，ケーシングに液体流入口と液体吐出口を設け，液体の流路上にナノバブル発生体を固定することによりナノバブル発生装置を構成する（［図６］）。
ナノバブル発生体は，扇形や菱形，六角形等からなる多数の突起物からなる羽根Ａをプラスチックで射出成形し，当該羽根を，積層組み込み勘合用のシャフト上に複数連接することにより構成されることを特徴とするものである。
【考案の効果】
【０００９】本考案によるナノバブル発生体を円柱ケーシングに組み込むことにより，同発生体を通過した液体について，ナノバブル効果を得ることができる。【００１０】さらに，本考案では，ナノバブル発生体につき，プラスティック成形した羽根Ａを，積層組み込み勘合用のシャフト上に複数連接させる構造を採用し，両端に液体流入口と液体吐出口を設けたケーシング内部に固定することにより，上記「フリップフロップ現象発生用軸体」と同機能を有するナノバブル発生体を容易にかつ極めて安価に得ることができ，ナノバブル発生装置を安価に量産することが可能となる。【００１１】これによって，例えば生活用水や工業用水といった身近に大量に存在する液体についても容易かつ安価にナノバブル化することが可能であり，節水，洗浄等の面で多大な効果を生じることができる。
【考案を実施するための最良の形態】
【００１２】以下，本考案について図１乃至図８に基づいて説明する。【００１３】［図１］及び［図２］に示すように，羽根Ａには，中央部にシャフトを貫通させる孔５を設け，この孔５の外周部に隣接した部分に，羽根Ａを他の羽根Ａと嵌合させるための嵌合孔６及び凸部７が複数設けられる。嵌合孔の外部には，菱形または扇形の突起部を複数設けて羽根Ａを形成する。【００１４】  さらには，勘合穴６と勘合凸部７のボスの各中心部が一定角度ずれるよう形成してもよい［図８］。羽根Ａを，例えば，１０〜２０枚程度，順次連接してナノバブル発生体４を形成する場合は，勘合穴６と勘合凸部７のボスの各中心部は，４．５〜４．８度程度ずれるように羽根Ａを形成することが望ましい。このように，勘合穴６と勘合凸部７のボスの各中心部が一定角度ずれるように形成した羽根Ａを複数勘合すると，隣接する羽根Ａ同士で外周部の突起が当該角度ずれていくため，羽根Ａを複数隣接してなるナノバブル発生体の外周部は螺旋状の形状を有することになり，同発生体を通過する液体が生じる旋回流をさらに強める。【００１５】  ［００１３］〜［００１４］で示す形状を有する羽根Ａを，プラスチック成型により製造する。【００１６】液体流入口２側を円錐状にした積層組み込み勘合用のシャフトに，羽根Ａを，例えば，１０〜２０枚程度，順次連接してナノバブル発生体４（［図６］）を構成する。【００１７】連接の方法は任意の方法で足り，羽根同士Ａを接着剤で接着してもよいし，超音波溶着してもよい。さらに，［図１］乃至［図３］のような形状をした羽根Ａから，凸部のみを除去した羽根Ｂ（［図４］［図５］）を同じくプラスチック成型によって成型し，これを羽根Ａに嵌合させた上で，羽根Ｂの中央部を積層組み込み勘合用のシャフトにボルト止めしてもよいし（［図７］），羽根Ｂを，連接された羽根Ａに接着剤で接着したり，超音波超音波溶着したりしてもよい。【００１８】なお，本考案は，上記のような実施形態に限られるものではなく，ナノバブル発生体４を通過する液体の性質や流体液圧の違いによって，羽根Ａや羽根Ｂの各寸法も変化し，羽根Ａの使用数も増減する。
【図面の簡単な説明】
【００１９】
【図１】本考案の一実施形態である羽根Ａを勘合穴６側から俯瞰した斜視図である。
【図２】羽根Ａを勘合凸部７側から羽根Ａを俯瞰した斜視図である。
【図３】羽根Ａの側面図である。
【図４】羽根Ａを複数連接させる手段として，羽根Ａ同士を嵌合させた上で，羽根Ａの外部から複数の羽根Ａをボルト止めする場合，羽根Ａとボルトの間に挿入する羽根Ｂの斜視図である。
【図５】［図４］の背面の斜視図である。
【図６】本考案によるナノバブル発生体を円柱ケーシング１に組み込み，ナノバブル発生装置の固定構造として完成させた側面図である。
【図７】羽根Ａを順次連接させる前のシャフトの状態を示した側面図である。
【図８】本考案の一実施形態である羽根Ａをプラスチック成型により成型して製造した状態の斜視図である。
【符号の説明】
【００２０】１円柱ケーシング
２液体流入口
３液体吐出口
４ナノバブル発生体
５シャフト貫通孔
６嵌合穴
７勘合凸部
８肉逃げ
９積層組み込み勘合用のシャフト
１０ビス
【図１】
0003184786.tif 000003
【図２】
0003184786.tif 000004
【図３】
0003184786.tif 000005
【図４】
0003184786.tif 000006
【図５】
0003184786.tif 000007
【図６】
0003184786.tif 000008
【図７】
0003184786.tif 000009
【図８】
0003184786.tif 000010